(57)【要約】      （修正有）【課題】衝撃を受けてもケースが基座から脱離されない収納ボックスを提供する。【解決手段】収納ボックス１ａはケース１０ａ及び基座２０ａを備える。ケース１０ａは第一スリット１１と、第一接合部２１２と、頂面１３とを含み、第一スリット１１及び第一接合部２１２は頂面１３の対向し合う二側にそれぞれ設置される。基座２０ａは第一凸部２１及び第二凸部２２ａを有し、第一凸部２１は第一スリット１１に対応されるように設置され、第二凸部２２ａは第一接合部２１２に対応されるように設置され、第一凸部２１は２つの第一折曲部２１１及び第一接合部２１２を含む。２つの第一折曲部２１１は第一接合部２１２の対向し合う二側にそれぞれ位置され、且つケース１０ａが基座２０ａに結合されると、第二凸部２２ａが第一接合部２１２に挿設され、第一凸部２１が第一スリット１１に挿設されると共に２つの第一折曲部２１１が折曲されて頂面に接触され、ケース１０ａが基座２０ａから脱離しなくなる。【選択図】図６
0003203036.tif 000002
【実用新案登録請求の範囲】
【請求項１】
第一スリットと、第一接合部と、頂面とで構成され、前記第一スリット及び前記第一接合部は前記頂面の対向し合う二側にそれぞれ設置されるケースと、
第一凸部及び第二凸部からなり、前記第一凸部は前記第一スリットに対応されるように設置され、前記第二凸部は前記第一接合部に対応されるように設置され、前記第一凸部は２つの第一折曲部及び第一接合部を含み、前記２つの第一折曲部は前記第一接合部の対向し合う二側にそれぞれ位置され、且つ前記ケースが前記基座に結合されると、前記第二凸部が前記第一接合部に挿設され、前記第一凸部が前記第一スリットに挿設されると共に前記２つの第一折曲部が折曲されて前記頂面に接触される基座とを備えることを特徴とする収納ボックス。
【請求項２】
前記第二凸部は２つの第二折曲部及び第二接合部を備え、前記２つの第二折曲部は前記第二接合部の対向し合う二側にそれぞれ位置され、前記ケースが前記基座に結合されると、前記２つの第二折曲部が折曲されて前記頂面に接触されることを特徴とする、請求項１に記載の収納ボックス。
【請求項３】
前記第一接合部はスリット構造であることを特徴とする、請求項２に記載の収納ボックス。
【請求項４】
前記２つの第二折曲部が折曲されない場合、前記第二凸部の外観がＴ字型を呈することを特徴とする、請求項２に記載の収納ボックス。
【請求項５】
前記第二凸部は第二スリットを備え、前記第一接合部は第三凸部を含み、前記ケースが前記基座に結合されると、前記第三凸部が前記第二スリットに挿設されることを特徴とする、請求項１に記載の収納ボックス。
【請求項６】
前記第一接合部は２つの嵌め込み溝を備え、前記２つの嵌め込み溝は前記第三凸部の二側にそれぞれ設置され、前記ケースが前記基座に結合されると、前記第三凸部が前記第二スリットに挿設され、一部の前記第二凸部が前記２つの嵌め込み溝にそれぞれ連結されることを特徴とする、請求項５に記載の収納ボックス。
【請求項７】
前記２つの第一折曲部が折曲されない場合、前記第一凸部の外観がＴ字型を呈することを特徴とする、請求項１乃至６のいずれかの１項に記載の収納ボックス。
【考案の詳細な説明】
【技術分野】
【０００１】
本考案は、基座の凸部及びケースが係合される収納ボックスに関し、即ち、外力による衝撃を受けてもケースが基座から脱離されない収納ボックスに関する。
【背景技術】
【０００２】
一般的には、物品の収納ボックスの種類は多様であり、分離可能なケースを有する収納ボックス体を例にすると、この種の収納ボックス体のケースとボックス本体との結合方式は多くの場合、単純にケースがボックス本体に被せられているのみであり、或いはケース及びボックス本体に対応し合って設置される凹凸の係合点によりケース及びボックス本体の結合を完成させている。
【考案の概要】
【考案が解決しようとする課題】
【０００３】
しかしながら、前述した従来の収納ボックスにおける上述の結合方式の欠点は、ケース及びボックス本体の間の係合力が不足し、収納ボックス体が外力による衝撃を受けると、ケースがボックス本体から分離してしまい、ボックス内の物品が損壊するなどし、使用上不便であるといった点にあった。そこで、本考案者は上記の欠点が改善可能と考え、鋭意検討を重ねた結果、合理的設計で上記の課題を効果的に改善する本考案の収納ボックスの提案に到った。
【０００４】
本考案は、このような従来の問題に鑑みてなされたものである。上記課題解決のため、本考案は、収納ボックスを提供することを主目的とする。
【課題を解決するための手段】
【０００５】
上述した課題を解決し、上記目的を達成するための本考案は、本考案に係る収納ボックスは、第一スリットと、第一接合部と、頂面とで構成され、前記第一スリット及び前記第一接合部は前記頂面の対向し合う二側にそれぞれ設置されるケースと、第一凸部及び第二凸部からなり、前記第一凸部は前記第一スリットに対応されるように設置され、前記第二凸部は前記第一接合部に対応されるように設置され、前記第一凸部は２つの第一折曲部及び第一接合部を含み、前記２つの第一折曲部は前記第一接合部の対向し合う二側にそれぞれ位置され、且つ前記ケースが前記基座に結合されると、前記第二凸部が前記第一接合部に挿設され、前記第一凸部が前記第一スリットに挿設されると共に前記２つの第一折曲部が折曲されて前記頂面に接触される基座とを備えることを特徴とする。
【考案の効果】
【０００６】
本考案によれば、基座の凸部及びケースが係合される収納ボックスであるため、収納ボックスが外力による衝撃を受けてもケースが基座から脱離しない。
【図面の簡単な説明】
【０００７】
【図１】本考案の第１実施形態による収納ボックスを示す展開図である。
【図２】本考案の第１実施形態のケース及び基座が結合される作動図である。
【図３】本考案の第１実施形態のケース及び基座の結合を示す作動図である。
【図４】本考案の第２実施形態による収納ボックスを示す展開図である。
【図５】本考案の第２実施形態のケース及び基座が結合される作動図である。
【図６】本考案の第２実施形態のケース及び基座が結合される作動図である。
【考案を実施するための形態】
【０００８】
本考案における好適な実施の形態について、図面を参照しながら説明する。尚、以下に説明する実施の形態は、実用新案登録請求の範囲に記載された本考案の内容を限定するものではない。また、以下に説明される構成の全てが、本考案の必須要件であるとは限らない。
【０００９】
〔第１実施形態〕
本考案の第１実施形態の収納ボックス構成を図１から図３に示す。本考案の一具体的な実施形態によると、収納ボックス１は電子部材により表面実装技術（ＳＭＴ）を用いて製造される際の金属遮蔽マスクであるが、本考案はこの実施形態に限定されない。
【００１０】
まず、本考案の第１実施形態について、図１を参照しながら説明する。本考案の収納ボックス１はケース１０及び基座２０を備え、ケース１０は矩形を呈すると共に第一スリット１１と、第一接合部１２と、頂面１３とを含む。第一スリット１１及び第一接合部１２は頂面１３の２つの端軸の側辺にそれぞれ設置される。基座２０は一体成形されると共に第一凸部２１及び第二凸部２２を含み、第一凸部２１は第一スリット１１に対応されるように設置され、第二凸部２２は第一接合部１２に対応されるように設置される。注意すべき点は、図１乃至図３に示すように、本実施形態では、第二凸部２２の構造は第一凸部２１と完全に同じであり、第一接合部１２は第一スリット１１と同じスリット構造になる点である。
【００１１】
また、第１実施形態において、第一凸部２１は２つの第一折曲部２１１及び第一接合部２１２を備え、２つの第一折曲部２１１が折曲されない場合、２つの第一折曲部２１１が第一接合部２１２の対向し合う二側にそれぞれ位置されて第一凸部２１の外観がＴ字型を呈する。本実施形態において、第二凸部２２の構造は第一凸部２１と完全に同じであり、よって、第二凸部２２は２つの第二折曲部２２１及び第二接合部２２２を備え、２つの第二折曲部２２１が第二接合部２２２の対向し合う二側にそれぞれ位置されて第二凸部２２の外観もＴ字型を呈する。
【００１２】
ケース１０及び基座２０が結合されると、第一凸部２１が第一スリット１１を貫通させ、第二凸部２２が第一接合部１２を貫通させ、且つ第一凸部２１及び第二凸部２２が共に頂面１３の外に露出される（図２参照）。この時、図３に示すように、使用者が２つの第一折曲部２１１及び２つの第二折曲部２２１をケース１０に向けてそれぞれ折曲させて、２つの第一折曲部２１１の下端及び２つの第二折曲部２２１の下端を頂面１３にそれぞれ接触させると、２つの第一折曲部２１１の下端及び２つの第二折曲部２２１の下端が頂面１３に接触される係止力によりケース１０が基座２０に堅固に連結され、本考案に係る収納ボックス１が外力による衝撃を受けても、ケース１０が基座２０から分離されなくなる。
【００１３】
〔第２実施形態〕
本考案の第２実施形態について図４から図６に基づき説明する。第２実施形態の第１実施形態との差異は、第一接合部１２ａ及び第二凸部２２ａの構造にある。図４に示すように、第一接合部１２ａは第三凸部１２１及び２つの嵌め込み溝１２２を備え、２つの嵌め込み溝１２２は第三凸部１２１の二側にそれぞれ設置され、第二凸部２２ａの外観が矩形を呈すると共に第二スリット２２３を含む。また、図５に示すように、ケース１０ａ及び基座２０ａが結合される場合、使用者が第三凸部１２１を第二スリット２２３に挿入させると、同時に一部の第二凸部２２ａが２つの嵌め込み溝１２２にそれぞれ嵌入され、その後に第一凸部２１を第一スリット１１に貫通させると、第一凸部２１が頂面１３の外に露出され、図５に示す状態が形成される。この時、図６に示すように、使用者が２つの第一折曲部２１１をケース１０ａに向けて折曲させ、２つの第一折曲部２１１の下端を頂面１３に接触させると、２つの第一折曲部２１１の下端が頂面１３に接触され、且つ第一接合部１２ａと第二凸部２２ａとの間の係止力によりケース１０ａが基座２０ａに堅固に連結されることで、本考案に係る収納ボックス１ａが外力による衝撃を受けても、ケース１０ａ及び基座２０ａが分離されなくなる。
【００１４】
以上のことから、本考案では、第一凸部２１が第一スリット１１に挿設され、第二凸部２２が第一接合部１２に挿設される設計により、本考案に係る収納ボックス１及び収納ボックス１ａのケース１０及びケース１０ａが基座２０及び基座２０ａに堅固に連結され、収納ボックス１及び収納ボックス１ａが外力による衝撃を受けても、ケース１０及びケース１０ａが基座２０及び基座２０ａから分離されなくなる。これにより、先行技術に存在する欠点を解決させる。
【００１５】
従って、本明細書に開示された実施形態は、本考案を限定するものではなく、説明するためのものであり、このような実施形態によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００１６】
１、１ａ  収納ボックス
１０、１０ａ  ケース
１１  第一スリット
１２、１２ａ  第一接合部
１２１  第三凸部
１２２  嵌め込み溝
１３  頂面
２０、２０ａ  基座
２１、２１ａ  第一凸部
２１１  第一折曲部
２１２  第一接合部
２２１  第二折曲部
２２２  第二接合部
２２３  第二スリット
２２、２２ａ  第二凸部
【図１】
0003203036.tif 000003
【図２】
0003203036.tif 000004
【図３】
0003203036.tif 000005
【図４】
0003203036.tif 000006
【図５】
0003203036.tif 000007
【図６】
0003203036.tif 000008